(57)【要約】【課題】導光板に発光むらが生じないようにする。【解決手段】フレーム３の内側面の対向する２辺９に導光板２を下方から支持する上向きの第１上向き傾斜面１１を形成し、この第１上向き傾斜面１１に支持される部位の前記導光板２の外側面に、この第１上向き傾斜面１１に面接触しうる下向きの第１下向き傾斜面８を形成した。【選択図】      図１
2004199930.tif 000002
【特許請求の範囲】
【請求項１】
光源からの光をフレームに支持されている導光板に入射させてこの導光板を発光させるようにした面光源装置において、
前記フレームの内側面の少なくとも２箇所に前記導光板を下方から支持する上向きの第１上向き傾斜面が形成され、前記第１上向き傾斜面に支持される部位の前記導光板の外側面に、前記第１上向き傾斜面に対応する下向きの第１下向き傾斜面が形成されていることを特徴とする面光源装置。
【請求項２】
前記フレームおよび前記導光板がそれぞれ平面視多角形形状であり、前記第１上向き傾斜面および前記第１下向き傾斜面が少なくとも前記フレームにおける隣接しない２辺に形成されていることを特徴とする請求項１に記載の面光源装置。
【請求項３】
前記フレームおよび前記導光板がそれぞれ平面視多角形形状であり、前記第１上向き傾斜面および前記第１下向き傾斜面が前記フレームにおける隣接しない２辺に形成され、前記フレームの前記第１上向き傾斜面が形成された辺に隣接する少なくとも１辺に下向きの第２下向き傾斜面が形成され、前記第２下向き傾斜面に対向する部位の前記導光板の外側面に、前記第２下向き傾斜面に対応する上向きの第２上向き傾斜面が形成されていることを特徴とする請求項１に記載の面光源装置。
【発明の詳細な説明】
【０００１】
【発明の属する技術分野】
本発明は導光板を用いた面光源装置に係り、特に導光板の形状およびその固定構造に関する。
【０００２】
【従来の技術】
液晶表示装置のバックライトなどとして使用される面光源装置は、一般に、光源とリフレクタを導光板の側方に配するとともに、この導光板の出射面にプリズムシートを貼着し、導光板の反出射面に反射シートを貼着しており、導光板、光源、リフレクタがフレームによって保持されて構成されている。
【０００３】
前記フレームは、全体的に平面視長方形に形成されており、各辺の内側面は、それぞれ鉛直面とされている。一方、このフレームの内側に支持される導光板は平面視長方形に形成されており、この導光板の各外側面は、それぞれ鉛直面とされている。
【０００４】
このような形状のフレームにより導光板を支持するため、従来、導光板の相互に背部となる１対の外側面に側方に突出する長方形の突起を突設し、他方、導光板の各突起に対応する部位のフレームに突起が嵌合しうる凹部を形成していた。そして、前記フレームの各凹部に前記導光板の各突部を嵌合して導光板をフレームにより支持していた（例えば、特許文献１参照）。
【０００５】
【特許文献１】
特開２００２−８４２６号公報（段落００１２、図１）
【０００６】
【発明が解決しようとする課題】
前述した従来の面光源装置においては、フレームの各凹部に導光板の各突部を嵌合して導光板をフレームにより支持していたが、このように導光板に突起を形成すると、この突起に光源からの光が集中してこの突起が輝点となり、この突起から導光板上の他の部位よりも明るい光が出射されることになり、導光板の輝度にむらが生じることになっていた。
【０００７】
このため、従来は遮光テープにより輝度むら発生領域を被覆して導光板の発光むらを防止するようにしていた。
【０００８】
しかしながら、このようにして遮光テープで輝度むら発生領域を被覆して発光むらを防止するようにすると、この面光源装置を液晶表示装置に使用した場合、液晶表示パネルの表示領域の外側に形成される非表示領域が大きくなってしまい、液晶表示装置の小型化を阻害することになっていた。
【０００９】
本発明は、前述した従来のものにおける問題点を克服し、導光板に発光むらが生じないようにした面光源装置を提供することを目的としている。
【００１０】
【課題を解決するための手段】
前述した目的を達成するため請求項１に係る本発明の面光源装置の特徴は、フレームの内側面の少なくとも２箇所に導光板を下方から支持する上向きの第１上向き傾斜面が形成され、この第１上向き傾斜面に支持される部位の前記導光板の外側面に、第１上向き傾斜面に対応する下向きの第１下向き傾斜面が形成されている点にある。そして、このような構成を採用したことにより、導光板に突起を設けなくともフレームにより導光板を支持することができるので、導光板を発光むらの生じない形状に形成することができる。
【００１１】
請求項２に係る本発明の面光源装置の特徴は、フレームおよび導光板がそれぞれ平面視多角形形状であり、第１上向き傾斜面および第１下向き傾斜面が少なくともフレームにおける隣接しない２辺に形成されている点にある。そして、このような構成を採用したことにより、平面視多角形形状の導光板をフレームにより安定的に支持することができる。
【００１２】
請求項３に係る本発明の面光源装置の特徴は、フレームおよび導光板がそれぞれ平面視多角形形状であり、第１上向き傾斜面および第１下向き傾斜面がフレームにおける隣接しない２辺に形成され、フレームの第１上向き傾斜面が形成された辺に隣接する少なくとも１辺に下向きの第２下向き傾斜面が形成され、この第２下向き傾斜面に対向する部位の導光板の外側面に、この第２下向き傾斜面に対応する上向きの第２上向き傾斜面が形成されている点にある。そして、このような構成を採用したことにより、導光板をフレームに嵌合すれば、導光板を粘着テープによりフレームに固定することなく、導光板の脱落を防止することができる。
【００１３】
【発明の実施の形態】
図１は、本発明に係る面光源装置の第１実施形態を示した図である。
【００１４】
図１において、面光源装置１は、導光板２、光源４を内部に収納し前記導光板２を支持するフレーム３、前記導光板２の下面２ｂに貼着される反射シート５、前記導光板２の上面２ａに貼着されるプリズムシート６から構成されている。
【００１５】
前記導光板２は、平面視長方形に形成されており、その一外側面の長手方向中央部に入光部をなす鉛直面７が形成され、この外側面の両端部およびその他の各側面に、一定の角度を有する下向きの第１下向き傾斜面８が形成されている。したがって、前記導光板２は、全体として台形状とされている。
【００１６】
一方、前記フレーム３は、樹脂などにより平面視長方形の枠状に形成されている。このフレーム３の１辺９ａの内部には、図示しない支持部材により支持されている前記光源４が配設されており、光源４の周囲には、前記導光板２側に光が反射されるように銀箔または白色の金属板等の反射層（図示せず）が配設されている。また、フレーム３の光源４の収納された一辺の内側の端面には、前記導光板２の入光部に光を入射するための横長長方形の開口部１０が形成されている。さらに、前記フレーム３の前記１辺９ａにおける前記開口部１０が形成された部分を除く内側面と、前記フレーム３の他の３辺９ｂの内側面には、前記導光板２を支持するため導光板２の前記第１下向き傾斜面８に面接触して下方から支持する上向きの第１上向き傾斜面１１が形成されている。前記導光板２の各第１下向き傾斜面８と、前記フレーム３の各第１上向き傾斜面１１とは、水平面に対し等しい角度に形成されている。
【００１７】
つぎに、前述した構成からなる本実施形態の作用について説明する。
【００１８】
導光板２の下向きの各第１下向き傾斜面８とフレーム３の上向きの各第１上向き傾斜面１１とは、水平面に対し等しい角度に形成されているので、導光板２をフレーム３の上方からフレーム３の内側に嵌合させると、導光板２の下向きの各第１下向き傾斜面８がフレーム３の上向きの各第１上向き傾斜面１１上に載置され、前記第１下向き傾斜面８と前記第１上向き傾斜面１１とが面接触する。したがって、導光板２はフレーム３の下方には抜け出ることがないので、導光板２をフレーム３に嵌合させた状態で、導光板２の上面２ａからフレーム３にかけて小さな粘着テープ（図示せず）を貼着することにより導光板２はフレーム３の上方にも抜け出ることがなく、フレーム３に保持されることになる。
【００１９】
このような構成によれば、導光板２の側方に突起が形成されていないので、光源４からの光が導光板２の一部に集中する事態を防ぐことができる。したがって、導光板２からは均一に光が出射されることになり、導光板２の輝度にむらが生じるおそれがない。
【００２０】
よって、導光板２に発光むらを防止するための遮光テープを貼着する必要がなく、この面光源装置１を液晶表示装置に使用した場合に、非表示領域を大きく形成する必要がなく、液晶表示装置の小型化を実現しやすくなる。
【００２１】
図２は、本発明に係る面光源装置の第２実施形態を示した図である。なお、前述した図１の実施形態と同様の構成については、図面中に同様の符号を付し、その説明は省略する。
【００２２】
図２において、面光源装置１Ａの開口部１０が形成されているフレーム３Ａの辺９ａと、この辺９ａに対向する辺９ｂには、前述した第１実施形態と同様の上向きの第１上向き傾斜面１１が形成されている。なお、このフレーム３Ａは、弾性変形しうる樹脂などにより形成されている。また、前記フレーム３Ａの前記第１上向き傾斜面１１に載置される導光板２Ａの２つの外側面には、前記第１実施形態と同様の下向きの第１下向き傾斜面８が形成されている。
【００２３】
一方、フレーム３Ａの前記上向きの第１上向き傾斜面１１が形成されていない残りの対向する２辺９ｂには、前記第１上向き傾斜面１１と傾斜方向が逆向きとなる下向きの第２下向き傾斜面１２がそれぞれ形成されている。また、前記フレーム３Ａの各第２下向き傾斜面１２に対向する部位の導光板２Ａの外側面には、この第２下向き傾斜面１２に面接触しうる上向きの第２上向き傾斜面１３が形成されている。
【００２４】
つぎに、前述した構成からなる本実施形態の作用について説明する。
【００２５】
本実施形態においては、面光源装置１Ａのフレーム３Ａが、対向する２つの第１上向き傾斜面１１と、対向する２つの第２下向き傾斜面１２とを有しており、また、導光板２Ａも、フレーム３Ａの第１上向き傾斜面１１に対応する２つの第１下向き傾斜面８と、フレーム３Ａの第２下向き傾斜面１２に対応する２つの第２上向き傾斜面１３とを有している。
【００２６】
そこで、フレーム３Ａを拡開させるように保持しておき導光板２Ａをフレーム３Ａの上方からフレーム３Ａの内側に嵌合させ、フレーム３Ａの拡開状態を解除すると、導光板２Ａの各第１下向き傾斜面８がフレーム３Ａの各第１上向き傾斜面１１に面接触するとともに、導光板２Ａの各第２上向き傾斜面１３がフレーム３Ａの各第２下向き傾斜面１２に面接触するようにして、導光板２Ａがフレーム３Ａに嵌合されることになる。
【００２７】
そして、導光板２Ａは、フレーム３Ａの各第１上向き傾斜面１１に各第１下向き傾斜面８が面接触するとともに、第１上向き傾斜面１１と傾斜方向が逆方向であるフレーム３Ａの第２下向き傾斜面１２に各第２上向き傾斜面１３が面接触しているので、導光板２Ａはフレーム３Ａの上下のいずれの方向にも抜けることがない。
【００２８】
このような構成によれば、第１実施形態と同様、導光板２Ａの側方に突起が形成されていないので、光源４からの光が導光板２Ａの一部に集中する事態を防ぐことができる。したがって、導光板２Ａからは均一に光が出射されることになり、導光板２Ａの輝度にむらが生じるおそれがない。
【００２９】
よって、第１実施形態と同様、導光板２Ａに発光むらを防止するための遮光テープを貼着する必要がなく、この面光源装置１Ａを液晶表示装置に使用した場合に、非表示領域を大きく形成する必要がなく、液晶表示装置の小型化を実現しやすくなる。
【００３０】
また、フレーム３Ａに第１上向き傾斜面１１を形成する部位は、なるべく離間するように対向する位置が好ましい。さらに、各傾斜面８，１１，１２，１３の形成長さは、導光板２Ａを十分に支持するという観点から、傾斜面形成辺の長さの半分以上とすることが好ましい。なお、内部に光源４が収納されたフレーム３Ａの一辺９ａ以外の３辺９ｂにおいては、輝点が発生しないように、辺全体を傾斜面にすることが好ましい。
【００３１】
なお、本発明は、前述した実施形態に限定されるものではなく、必要に応じて種々の変更が可能である。例えば、フレーム３Ａの形状を平面視長方形としたが、円形や、半円、または三角形を含む多角形であってもよい。
【００３２】
【発明の効果】
以上説明したように本発明によれば、導光板に発光むらが生じないようにすることができる。
【００３３】
すなわち、フレームの少なくとも１辺に導光板を下方から支持する上向きの第１上向き傾斜面を形成し、この傾斜面に支持される部位の前記導光板の外側面に、第１上向き傾斜面に面接触しうる下向きの第１下向き傾斜面を形成したので、導光板に突起を設けなくともフレームにより導光板を支持することができ、導光板を発光むらの生じない形状に形成することができる。
【００３４】
この結果、導光板に発光むらを防止するための遮光テープを貼着する必要がなく、この面光源装置を液晶表示装置に使用した場合に、非表示領域を大きく形成する必要がなく、液晶表示装置の小型化を実現しやすくなる。
【００３５】
また、フレームおよび導光板をそれぞれ平面視長方形に形成し、第１上向き傾斜面および第１下向き傾斜面を少なくともフレームにおける対向する２辺に形成すれば、平面視長方形の導光板をフレームにより安定的に支持して導光板の発光むらをなくすことができる。
【００３６】
さらに、フレームおよび導光板をそれぞれ平面視長方形に形成し、第１上向き傾斜面および第１下向き傾斜面をフレームにおける対向する２辺に形成し、フレームの第１上向き傾斜面が形成された辺に隣接する少なくとも１辺に第２下向き傾斜面を形成し、この第２下向き傾斜面に対向する部位の導光板の外側面に、第２下向き傾斜面に対応する上向きの第２上向き傾斜面を形成すれば、導光板をフレームに嵌合することで、導光板を粘着テープによりフレームに固定することなく、導光板の脱落を防止して導光板の発光むらをなくすことができる。
【図面の簡単な説明】
【図１】本発明に係る面光源装置の第１実施形態を示す分解斜視図
【図２】本発明に係る面光源装置の第２実施形態を示す分解斜視図
【符号の説明】
１，１Ａ  面光源装置
２，２Ａ  導光板
３，３Ａ  フレーム
４，４Ａ  光源
５  反射シート
６  プリズムシート
７  鉛直面
８  第１下向き傾斜面
９ａ，９ｂ  フレーム３の辺
１０  開口部
１１  第１上向き傾斜面
１２  第２下向き傾斜面
１３  第２上向き傾斜面
【図１】
2004199930.tif 000003
【図２】
2004199930.tif 000004